(57)【要約】【課題】外壁パネルを梁材に固定する際の、外壁パネルの落下防止や取り付け作業時間の短縮化、或いはレッカー吊りする場合のレッカーの稼働効率の向上を図る。【解決手段】梁材２に、パネル固定金具３を介して壁パネル４の上端部４Ｅを固定する。パネル固定金具３は、梁材下面に固定される固定板部２０から下方にのびる取付板部６を有する断面Ｌ字状の固定金具本体５を具え、前記取付板部６に設けるボルト挿通孔２３を通るボルト２２によって、壁パネル４の上の横枠材１２ａをボルト固定する。前記取付板部５には、屋外側或いは屋内側に向かって上傾斜でのび、前記ボルト固定に際して前記上の横枠材１２ａを引っ掛けて壁パネル４を仮保持しうるフック部７が設けられる。【選択図】図３
2010275743.tif 000002
【特許請求の範囲】
【請求項１】
梁材に、パネル固定金具を介して壁パネルの上端部を固定する壁パネルの固定構造であって、
前記壁パネルは、上下の横枠材の両端間を縦枠材で連結した矩形枠組み状のパネル本体を有し、
かつ前記パネル固定金具は、前記梁材の下面に固定される固定板部と、この固定板部の屋外側端或いは屋内側端から下方にのびかつボルト挿通孔を設けた取付板部とを有する断面Ｌ字状の固定金具本体を具え、しかも前記ボルト挿通孔を通るボルトによって前記上の横枠材を前記取付板部にボルト固定するとともに、
前記取付板部に、前記ボルト挿通孔よりも下方位置から屋外側或いは屋内側に向かって上傾斜でのび、かつ前記ボルト固定に際して前記上の横枠材を引っ掛けて壁パネルを仮保持しうるフック部を設けたことを特徴とする壁パネルの固定構造。
【請求項２】
前記壁パネルは、家屋の外壁をなす外壁パネルであって、前記パネル固定金具のフック部は、前記取付板部から屋外側に向かって上傾斜でのびることを特徴とする請求項１記載の壁パネルの固定構造。
【請求項３】
前記上の横枠材は、前記パネル本体の上端面をなすウエブ片の両側縁に、下方にのびる屋外側のフランジ片と屋内側のフランジ片とを有する断面コ字状をなし、しかも前記屋内側のフランジ片の下端部が、前記フック部に引っ掛けられることを特徴とする請求項１又は２記載の壁パネルの固定構造。
【請求項４】
前記パネル固定金具のフック部は、前記ボルト挿通孔の両側に配される一対のフック部分からなり、かつ該フック部分間に、前記ボルト固定用のナットを保持するレンチが下方から通る間隙部が形成されることを特徴とする請求項１〜３の何れかに記載の壁パネルの固定構造。
【発明の詳細な説明】
【技術分野】
【０００１】
本発明は、壁パネル、特に外壁パネルを梁材に固定する際の、作業の安全性及び作業効率を高めうる壁パネルの固定構造に関する。
【背景技術】
【０００２】
壁パネルの上端部を梁材に固定する場合、特に外壁パネルの上端部を梁材に固定する場合には、従来、図１０に示すように、まず梁材ａの下面に、Ｌ字状の固定金具ｂをボルト固定した後、外壁パネルｃをレッカー等によって吊り上げる、或いは、作業者が足場に乗って、外壁パネルｃを屋外側から持ち上げて保持する。そしてこの状態にて、前記固定金具ｂの下向き片ｂ１に設けるボルト挿通孔と外壁パネルｃに設けるボルト挿通孔とを位置合わせしながら、屋内側からボルトｄを通して固定している。
【０００３】
従って、レッカー吊りの場合には、ボルト固定するまでの間レッカーを拘束する必要が生じるため、その稼働効率が下がるなど作業効率の低下を招く。又作業者が持ち上げて保持する場合、外壁パネルｃが重量物であるため、大きな労力を要するとともに、落下等の事故の危険性が生じ、しかも保持が不安定となって外壁パネルｃが動くため位置合わせ等に時間がかかるなど作業効率の低下を招く。
【０００４】
そこで、例えば下記の特許文献１には、外壁パネルの上端部を梁材に略ワンタッチで固定する固定金具が提案されている。しかしこのものは、固定金具の構造が複雑であり、かつ梁材をその巾方向に挟んで保持するため、梁材の巾寸法に応じて固定金具の品種の増加を招くという問題がある。
【先行技術文献】
【特許文献】
【０００５】
【特許文献１】実開平０５−２８８０９号公報
【発明の概要】
【発明が解決しようとする課題】
【０００６】
そこで本発明は、固定金具に壁パネルをボルト固定するに際して、壁パネルを引っ掛けて仮保持しうるフック部を前記固定金具に設けることを基本として、構造を簡易とし、かつ品種の増加を防ぐとともに、壁パネルをレッカー吊りする場合のレッカーの稼働効率の向上、或いは壁パネルを作業者が持ち上げて保持する場合の、壁パネルの落下防止や取り付け作業時間の短縮化を図りうる壁パネルの固定構造を提供することを目的としている。
【課題を解決するための手段】
【０００７】
上記課題を解決するために、本願請求項１の発明は、梁材に、パネル固定金具を介して壁パネルの上端部を固定する壁パネルの固定構造であって、
前記壁パネルは、上下の横枠材の両端間を縦枠材で連結した矩形枠組み状のパネル本体を有し、
かつ前記パネル固定金具は、前記梁材の下面に固定される固定板部と、この固定板部の屋外側端或いは屋内側端から下方にのびかつボルト挿通孔を設けた取付板部とを有する断面Ｌ字状の固定金具本体を具え、しかも前記ボルト挿通孔を通るボルトによって前記上の横枠材を前記取付板部にボルト固定するとともに、
前記取付板部に、前記ボルト挿通孔よりも下方位置から屋外側或いは屋内側に向かって上傾斜でのび、かつ前記ボルト固定に際して前記上の横枠材を引っ掛けて壁パネルを仮保持しうるフック部を設けたことを特徴としている。
【０００８】
又請求項２の発明では、前記壁パネルは、家屋の外壁をなす外壁パネルであって、前記パネル固定金具のフック部は、前記取付板部から屋外側に向かって上傾斜でのびることを特徴としている。
【０００９】
又請求項３の発明では、前記上の横枠材は、前記パネル本体の上端面をなすウエブ片の両側縁に、下方にのびる屋外側のフランジ片と屋内側のフランジ片とを有する断面コ字状をなし、しかも前記屋内側のフランジ片の下端部が、前記フック部に引っ掛けられることを特徴としている。
【００１０】
又請求項４の発明では、前記パネル固定金具のフック部は、前記ボルト挿通孔の両側に配される一対のフック部分からなり、かつ該フック部分間に、前記ボルト固定用のナットを保持するレンチが下方から通る間隙部が形成されることを特徴としている。
【発明の効果】
【００１１】
本発明は、パネル固定金具として、梁材下面に固定される固定板部に、下方にのびる取付板部を一連に設けた断面Ｌ字状の固定金具本体を用いるとともに、前記取付板部に、屋外側或いは屋内側に向かって上傾斜でのびるフック部を設けている。なお外壁パネルを固定する場合には、前記フック部は屋外側に上傾斜でのび、又内壁パネルを固定する場合には、前記フック部は屋内側に上傾斜でのびる。従って、壁パネルを前記取付板部にボルト固定する際、レッカー吊りの壁パネル、或いは作業者が持ち上げた壁パネルを、いったん前記フック部に引っ掛けて仮保持しうる。
【００１２】
従って、レッカー吊りの場合、ボルト固定を待たずにレッカーを次の作業に移すことができ、その稼働効率を高めうる。又作業者の持ち上げによる場合にも、仮保持した後は、ボルト固定まで、実質的に壁パネルを持ち上げて保持する必要がなくなるため、労力を最小限に抑えることができ、しかも位置合わせ及びボルト固定を含む壁パネルの取付け作業を効率よくかつ安全に行うことができる。
【００１３】
又パネル固定金具は、構造が簡易であり、しかも梁材の巾寸法等に影響することなく使用できるため、品種の増加を抑制できる。
【図面の簡単な説明】
【００１４】
【図１】本発明の壁パネルの固定構造の一実施例を示す断面図である。
【図２】壁パネルを示す分解斜視図である。
【図３】壁パネルの固定構造の主要部拡大して示す断面図である。
【図４】（Ａ）、（Ｂ）は、パネル固定金具を示す斜視図、及び屋外側から見た正面図である。
【図５】（Ａ）、（Ｂ）は、外装パネルの仮保持状態、及びボルト固定を説明する断面図である。
【図６】（Ａ）、（Ｂ）は、パネル固定金具の他の例を示す斜視図、及び屋外側から見た正面図である。
【図７】（Ａ）、（Ｂ）は、パネル固定金具のさらに他の例を示す斜視図である。
【図８】そのフック部の根元部分を示す断面図である。
【図９】（Ａ）、（Ｂ）は、パネル固定金具のさらに他の例を示す斜視図、及びその側面図である。
【図１０】従来の壁パネルの固定構造を示す断面図である。
【発明を実施するための形態】
【００１５】
以下、本発明の実施の形態について、詳細に説明する。
【００１６】
図１において、本発明の固定構造１は、梁材２に、パネル固定金具３を介して壁パネル４の上端部４Ｅを固定する構造であって、前記パネル固定金具３は、梁材２下面に固定される断面Ｌ字状の固定金具本体５の取付板部６に、上傾斜のフック部７を設けている。
【００１７】
具体的には、本例では、前記壁パネル４が外壁パネルである場合を例示する。なお前記梁材２は、本例では、垂直なウエブ片１０の上下に水平なフランジ片１１ａ、１１ｂを設けたＨ形鋼からなり、例えば柱体（図示しない。）間に水平に架け渡されることにより、前記柱体と協働して家屋の架構体を構成する。
【００１８】
又前記壁パネル４は、図２に示すように、上下の横枠材１２ａ、１２ｂの両端間を縦枠材１２ｃ、１２ｃで連結した矩形枠組み状のパネル本体１２を具え、本例では、このパネル本体１２の屋外側に外壁面をなす外装板１３を取り付けている。前記横枠材１２ａ、１２ｂ及び縦枠材１２ｃは、それぞれウエブ片１４の両側縁に、フランジ片１５ａ、１５ｂを設けた断面コ字状の溝形鋼からなり、各溝部を向かい合わせて連結される。従って、例えば、上の横枠材１２ａにおいては、前記ウエブ片１４が、パネル本体１２の上端面をなし、かつフランジ片１５ａ、１５ｂは、前記ウエブ片１３の屋外側、屋内側の各側縁から折れ曲がって下方に突出している。なお前記外装板１３は、本例では、例えば木質の矩形枠である下地枠１７を介して前記パネル本体１２に添設される。
【００１９】
次に  前記パネル固定金具３は、図３〜４に示すように、前記梁材２の下面（本例では、下のフランジ片１１ｂの下面）に、ボルト１６によって固定される固定板部２０と、この固定板部２０の屋外側端から下方にのびる取付板部６とを有する断面Ｌ字状の固定金具本体５を具える。前記取付板部６には、その中央側に、外壁パネル固定用のボルト挿通孔２３が穿設されている。
【００２０】
又固定金具本体５の前記取付板部６には、前記ボルト挿通孔２３よりも下方位置から屋外側に向かって上傾斜でのびるフック部７が形成される。このフック部７は、前記壁パネル４をボルト固定するに際して、前記上の横枠材１２ａにおける前記屋内側フランジ片１５ｂの下端部を引っ掛けることができ、この引っ掛けによって前記壁パネル４を仮保持しうる。
【００２１】
又図５（Ｂ）に示すように、前記上の横枠材１２ａの屋内側フランジ片１５ｂにも、ボルト挿通孔２４が形成されている。従って、前記仮保持状態において、ボルト挿通孔２３とボルト挿通孔２４とを位置合わせするとともに、屋内側からボルト２２を前記ボルト挿通孔２３、２４に順次挿通し、かつこのボルト２２を屋外側からのナット２５で固定することによって、前記上の横枠材１２ａを前記取付板部６にボルト固定することができる。
【００２２】
前記フック部７は、図４（Ａ）、（Ｂ）に示すように、前記ボルト挿通孔２３の左右両側に配される一対のフック部分７Ａ、７Ａからなる。そしてこのフック部分７Ａ、７Ａ間には、前記ナット２５を保持するための例えばメガネレンチなどのレンチ２６が下方から通りうる間隙部Ｄが形成される。これによって、ボルト固定作業をより簡便に行いうる。
【００２３】
本例では、前記フック部７が、前記取付板部６の下端からのびる延出部分２８を下方側から上方側に折り曲げることによって形成される場合が示されている。従って、前記フック部７は、図５（Ａ）に示すように、円弧状の底部分７ａを介して前記取付板部６に位置Ｐで連なっている。なお位置Ｐとは、前記フック部７と取付板部６とが交わる位置を意味する。この場合、厳密には、仮保持状態においては、壁パネル４の前記屋内側フランジ片１５ｂの下縁が、前記円弧状の底部分７ａの最下点に落ち込むため、ボルト固定の際には、少なくとも前記最下点と位置Ｐとの間の高さＨ分だけ、壁パネル４を持ち上げる必要が生じる。しかし、前記高さＨは小であり、しかも持ち上げが一時的であるため、労力は小さく、従って、ボルト固定作業への効率、及び安全性に与える悪影響は非常に小である。
【００２４】
なおパネル固定金具３においては、図６（Ａ）、（Ｂ）に示すように、前記フック部分７Ａを巾広としてその強度を高めるために、前記取付板部６の巾ｗを固定板部２０の巾に比して大とすることが好ましく、これによって、重量及びコストの上昇を最低限に抑えることができる。
【００２５】
なお図１において、符号３０は基礎Ｆに埋設されるアンカーボルトであって、このアンカーボルト３０を用いて、基礎Ｆ上端に支持金具３１が固定される。この支持金具３１は、屋外側で立ち上がる立片３１ａを具え、前記上端部４Ｅが固定された壁パネル４の下端部、本例では下の横枠材１２ｂの屋内側フランジ片１５ｂが、該立片３１ａにボルト固定される。
【００２６】
次に図７（Ａ）、（Ｂ）に、前記パネル固定金具３の他の実施例を示す。この例では、前記フック部分７Ａは、取付板部６から切り残された部分２７を、上方側から下方側に折り曲げることによって形成される。この場合、図８に示すように、フック部分７Ａは、円弧状の底部分７ａを介することなく取付板部６と連なることができる。すなわち、最下点が前記位置Ｐとなって前記高さＨが生じないため、ボルト固定の際、仮保持状態の壁パネル４を持ち上げる必要がなくなる。従ってこの場合には、前記仮保持状態におけるボルト挿通孔２３と同高さ位置に、ボルト挿通孔２４を形成できるため、仮保持状態のまま左右の位置合わせのみで、ボルト挿通孔２３とボルト挿通孔２４とを一致させることが可能となり、ボルト固定作業をよりいっそう効率化することができる。なお前述のように、上方側から下方側への折り曲げによってフック部７を形成する場合、前記図８に示すように、フック部７に、前記位置Ｐに連なる略水平な底部分７ｂを形成することが好ましく、かかる場合には、最下点が巾を有して形成されるため、より安定して壁パネル４を仮保持することができる。
【００２７】
次に図９（Ａ）、（Ｂ）に、前記パネル固定金具３のさらに他の実施例の斜視図、及び側面図を示す。この例では、フック部分７Ａは、取付板部６の側縁から側方にのびる延出部分３２を、屋外側に向かって前記取付板部６とは略直角に折り曲げた折り曲げ部３３によって形成される。該折り曲げ部３３は、その上端縁が、取付板部６から屋外側に向かって上傾斜でのびる上傾斜部３３ｅを含むことにより前記フック部分７Ａを形成している。この場合、フック部分７Ａの折れ曲がり方向が、荷重負荷方向（上下方向）と直角な横向きとなるため、フック部分７Ａの強度を高めることができ、従って、本例では一つのフック部分７Ａによりフック部７を形成している。なお要求により、取付板部６の両側縁に、フック部分７Ａを形成することができる。本例の場合にも、安定した壁パネル保持のために、前記上傾斜部３３ｅに、前記位置Ｐに連なる略水平な底部分７ｂを形成することが好ましい。
【００２８】
なお本発明の固定構造を、内壁パネルの梁材への固定に使用することもできる。この場合、固定板部２０の屋内側端に取付板部６が形成されるとともに、前記フック部７はこの取付板部６から屋内側に向かって上傾斜で形成される。
【００２９】
以上、本発明の特に好ましい実施形態について詳述したが、本発明は図示の実施形態に限定されることなく、種々の態様に変形して実施しうる。
【符号の説明】
【００３０】
１     外壁パネルの固定構造
２     梁材
３     パネル固定金具
４     外壁パネル
４Ｅ   上端部
５     固定金具本体
６     取付板部
７     フック部
７Ａ   フック部分
１２   パネル本体
１２ａ、１２ｂ       横枠材
１２ｃ 縦枠材
１４   ウエブ片
１５ａ、１５ｂ       フランジ片
２０   固定板部
２２   ボルト
２３   ボルト挿通孔
２５   ナット
２６   メガネレンチ
Ｄ     間隙部
【図１】
2010275743.tif 000003
【図２】
2010275743.tif 000004
【図３】
2010275743.tif 000005
【図４】
2010275743.tif 000006
【図５】
2010275743.tif 000007
【図６】
2010275743.tif 000008
【図７】
2010275743.tif 000009
【図８】
2010275743.tif 000010
【図９】
2010275743.tif 000011
【図１０】
2010275743.tif 000012